(57)【要約】  写真の集中ストレージ方法及び装置であって、ＩＰネットワーク分野に関し、インテリジェント端末のＭＡＣアドレスを取得して、且つそれをインテリジェント端末写真ファイルのソースＭＡＣアドレスとし、前記写真ファイルと前記ソースＭＡＣアドレスをパッケージング処理して、写真ファイルとソースＭＡＣアドレスを含むデータパッケージを取得し、写真ファイルとソースＭＡＣアドレスを含むデータパッケージを有線又は無線ネットワークによって写真ファイル集中ストレージ装置にアップロードする、というインテリジェント端末が実行したステップを含む。ＭＡＣアドレスによってインテリジェント端末から本端末により集中ストレージサービス装置にアップロードされた写真を見つけることによって、よりインテリジェント的にユーザに表示でき、且つ簡単で実用的である。【選択図】図２
2016510916.tif 000002
【特許請求の範囲】
【請求項１】
写真の集中ストレージ方法であって、
インテリジェント端末のメディアアクセス制御ＭＡＣアドレスを取得して、且つそれをインテリジェント端末写真ファイルのソースＭＡＣアドレスとし、
前記写真ファイルと前記ソースＭＡＣアドレスをパッケージング処理して、写真ファイルとソースＭＡＣアドレスを含むデータパッケージを取得し、
写真ファイルとソースＭＡＣアドレスを含むデータパッケージを有線又は無線ネットワークによって写真ファイル集中ストレージ装置にアップロードする、というインテリジェント端末が実行するステップを含む写真の集中ストレージ方法。
【請求項２】
受信した、写真ファイルとソースＭＡＣアドレスを含むデータパッケージを解析し、
解析後の写真ファイルとソースＭＡＣアドレス情報を記憶する、という前記写真ファイル集中ストレージ装置が実行するステップを更に含む請求項１に記載の方法。
【請求項３】
インテリジェント端末は、前記写真ファイル集中ストレージ装置に、アップロードした写真を検索するための要求を送信し、
前記写真ファイル集中ストレージ装置は、前記要求に基づき、インテリジェント端末ＭＡＣアドレスをマッチングする方式で写真ファイルをインテリジェント端末に送信し、
前記インテリジェント端末は、前記写真ファイル集中ストレージ装置が送信した写真ファイルを受信する、という、インテリジェント端末が写真ファイル集中ストレージ装置に記憶された写真を取得するステップを更に含む請求項２に記載の方法。
【請求項４】
解析後の写真ファイルとソースＭＡＣアドレス情報を記憶することは、解析後の写真ファイルとソースＭＡＣアドレス情報をバインディングしてから記憶することを含む請求項３に記載の方法。
【請求項５】
インテリジェント端末ＭＡＣアドレスをマッチングする方式で写真ファイルをインテリジェント端末に送信することは、
前記写真ファイル集中ストレージ装置が、前記要求を解析することによって、該要求を送信するインテリジェント端末ＭＡＣアドレスを取得することと、
前記写真ファイル集中ストレージ装置が、前記インテリジェント端末ＭＡＣアドレスと記憶されたすべてのＭＡＣアドレス情報をそれぞれマッチング処理することによって、アップロードしたソースＭＡＣアドレスを検索して、該ソースＭＡＣアドレスにバインディングされた写真ファイルを前記インテリジェント端末に送信することと、を含む請求項４に記載の方法。
【請求項６】
写真の集中ストレージ装置であって、インテリジェント端末に設置されるソースメディアアクセス制御ＭＡＣアドレス取得モジュール、データパッケージングモジュール及びデータ送信モジュールを含み、
前記ソースメディアアクセス制御ＭＡＣアドレス取得モジュールは、インテリジェント端末のＭＡＣアドレスを取得して、且つそれをインテリジェント端末写真ファイルのソースＭＡＣアドレスとするように設定され、
前記データパッケージングモジュールは、前記写真ファイルと前記ソースＭＡＣアドレスをパッケージング処理して、写真ファイルとソースＭＡＣアドレスを含むデータパッケージを取得するように設定され、
前記データ送信モジュールは、集中ストレージを行うために写真ファイルとソースＭＡＣアドレスを含むデータパッケージを有線又は無線ネットワークによってアップロードするように設定される写真の集中ストレージ装置。
【請求項７】
アップロードした、写真ファイルとソースＭＡＣアドレスを含むデータパッケージを受信して記憶するように設定される写真ファイル集中ストレージ装置を更に含む請求項６に記載の装置。
【請求項８】
前記写真ファイル集中ストレージ装置は、
前記アップロードした、写真ファイルとソースＭＡＣアドレスを含むデータパッケージを受信するように設定される受信モジュール、
受信した、写真ファイルとソースＭＡＣアドレスを含むデータパッケージを解析するように設定される解析モジュール、
解析後の写真ファイルとソースＭＡＣアドレス情報を記憶するように設定される記憶ユニットを含む請求項７に記載の装置。
【請求項９】
前記写真ファイル集中ストレージ装置は、
解析後の写真ファイルとソースＭＡＣアドレス情報をバインディングするように設定されるバインディングユニットを更に含む請求項８に記載の装置。
【請求項１０】
前記写真ファイル集中ストレージ装置は、
インテリジェント端末が自身のアップロードした写真を検索する際に、インテリジェント端末ＭＡＣアドレスと記憶したソースＭＡＣアドレスをマッチング処理するように設定されるマッチングユニットを更に含む請求項９に記載の装置。
【発明の詳細な説明】
【技術分野】
【０００１】
本発明はＩＰネットワーク分野に関し、特に写真の集中ストレージ方法及び装置に関する。
【背景技術】
【０００２】
ますます豊かになる文化需要とインテリジェントイメージング技術の発展に伴って、個人と家庭が所有するインテリジェント映像端末は多くなり、様々なインテリジェント端末のネットワーキングもますます重要になり、家庭範囲内の写真ファイルが多くなるが、現在の写真がほとんど個人のインテリジェント端末の記憶空間に分散ストレージして、家庭範囲内の写真の管理とシェアが不便であり、写真ファイルの利用が広範になるに伴って、写真ファイルのソース属性はＩＰネットワーク環境内の写真ファイルリソース管理に対してますます重要になる。このため、写真ファイルを集中ストレージする際に付いたＭＡＣアドレスは、より効果的にＩＰネットワーク環境下での各種の写真ファイルリソースを管理することができる。
【０００３】
用語定義：
インテリジェント端末：ＩＰネットワークインターフェースを備え、インテリジェント操作システムが実行できるアプリケーションプログラムを持つ装置であって、各インテリジェント端末は複数の有線又は無線ネットワークカード（即ち１つ又は複数のＭＡＣアドレス）を持つことができる。
【０００４】
ＩＰネットワーク：ＷＡＮ又はＬＡＮで、広域ネットワーク又はローカルエリアネットワークで、Internet Protocol（ネットワークの間に相互接続するプロトコル）プロトコルをサポートし、複数のネットワーク機器及びインテリジェント端末からなり、ＩＰ通信を実現できるネットワークである。
【０００５】
メディアアクセス制御（Medium/Media Access Control、ＭＡＣ）アドレス：又はＭＡＣアドレス、論理アドレスと呼ばれ、ネットワーク機器の位置を定義することに用いられ、４８ビットの長さ、１２個の１６進数からなり、０〜２３桁はメーカーがＩＥＴＦ等の機構に申請してメーカーを識別するためのコードであり、「組織固有の識別子」（Organizationally Unique Identifier) とも呼ばれる。ＬＡＮ（ローカルエリアネットワーク）ノードを識別するマークである。アドレスの２４〜４７桁はメーカーにより自分で分配し、各メーカーにより製造されたすべてのネットワークカードの１つの固有の番号である。
【発明の概要】
【発明が解決しようとする課題】
【０００６】
本発明が解決しようとするのは、ＩＰネットワーク環境においてインテリジェント携帯端末が写真を集中ストレージする際に写真ファイルリソースのソース属性（ソースマシンアドレス：ＭＡＣアドレス）を認識して、写真ファイルリソースを管理する方法及び装置を提供することである。
【課題を解決するための手段】
【０００７】
本発明は、ＭＡＣアドレスによってインテリジェント端末から本端末により集中ストレージサービス装置にアップロードされる写真を見つけて、ＩＰネットワーク環境での写真ファイルの便利な管理の正常実施を確保する写真の集中ストレージ方法及び装置を提供することを目的とする。
【０００８】
本発明の一態様によれば、写真の集中ストレージ方法を提供し、
インテリジェント端末のＭＡＣアドレスを取得して、且つそれをインテリジェント端末写真ファイルのソースＭＡＣアドレスとし、
前記写真ファイルと前記ソースＭＡＣアドレスをパッケージング処理（パッキング処理）して、写真ファイルとソースＭＡＣアドレスを含むデータパッケージ（データパック）を取得し、
写真ファイルとソースＭＡＣアドレスを含むデータパッケージを有線又は無線ネットワークによって写真ファイル集中ストレージ装置にアップロードする、
という、インテリジェント端末が実行するステップを含む。
【０００９】
好ましくは、
受信した、写真ファイルとソースＭＡＣアドレスを含むデータパッケージを解析し、
解析後の写真ファイルとソースＭＡＣアドレス情報を記憶する、
という、前記写真ファイル集中ストレージ装置が実行するステップを更に含む。
【００１０】
好ましくは、
インテリジェント端末は、前記写真ファイル集中ストレージ装置に、アップロードした写真を検索するための要求を送信し、
前記写真ファイル集中ストレージ装置は、前記要求に基づき、インテリジェント端末ＭＡＣアドレスをマッチングする方式で写真ファイルをインテリジェント端末に送信し、
前記インテリジェント端末は、前記写真ファイル集中ストレージ装置が送信した写真ファイルを受信する、
という、インテリジェント端末が写真ファイル集中ストレージ装置に記憶された写真を取得するステップを更に含む。
【００１１】
好ましくは、解析後の写真ファイルとソースＭＡＣアドレス情報を記憶するのは、解析後の写真ファイルとソースＭＡＣアドレス情報をバインディングしてから記憶することを含む。
【００１２】
好ましくは、インテリジェント端末ＭＡＣアドレスをマッチングする方式で写真ファイルをインテリジェント端末に送信することは、
前記写真ファイル集中ストレージ装置が、前記要求を解析することによって、該要求を送信するインテリジェント端末ＭＡＣアドレスを取得することと、
前記写真ファイル集中ストレージ装置が、前記インテリジェント端末ＭＡＣアドレスと記憶されたすべてのＭＡＣアドレス情報をそれぞれマッチング処理することによって、アップロードしたソースＭＡＣアドレスを検索して、該ソースＭＡＣアドレスにバインディングされた写真ファイルを前記インテリジェント端末に送信することと、を含む。
【００１３】
本発明の他の態様によれば、写真の集中ストレージ装置を提供し、インテリジェント端末に設置されるソースＭＡＣアドレス取得モジュール、データパッケージングモジュール及びデータ送信モジュールを含み、
前記ソースＭＡＣアドレス取得モジュールは、インテリジェント端末のＭＡＣアドレスを取得して、且つそれをインテリジェント端末写真ファイルのソースＭＡＣアドレスとするように設定され、
前記データパッケージングモジュールは、前記写真ファイルと前記ソースＭＡＣアドレスをパッケージング処理して、写真ファイルとソースＭＡＣアドレスを含むデータパッケージを取得するように設定され、
前記データ送信モジュールは、写真ファイルとソースＭＡＣアドレスを含むデータパッケージを有線又は無線ネットワークによってアップロードして、集中ストレージを行うように設定される。
【００１４】
好ましくは、アップロードした、写真ファイルとソースＭＡＣアドレスを含むデータパッケージを受信して記憶するように設定される写真ファイル集中ストレージ装置を更に含む。
【００１５】
好ましくは、前記写真ファイル集中ストレージ装置は、
前記アップロードした、写真ファイルとソースＭＡＣアドレスを含むデータパッケージを受信するように設定される受信モジュール、
受信した、写真ファイルとソースＭＡＣアドレスを含むデータパッケージを解析するように設定される解析モジュール、
解析後の写真ファイルとソースＭＡＣアドレス情報を記憶するように設定される記憶ユニットを含む。
【００１６】
好ましくは、前記写真ファイル集中ストレージ装置は、
解析後の写真ファイルとソースＭＡＣアドレス情報をバインディングするように設定されるバインディングユニットを更に含む。
【００１７】
好ましくは、前記写真ファイル集中ストレージ装置は、
インテリジェント端末がアップロードした写真を検索する際に、インテリジェント端末ＭＡＣアドレスと記憶されたソースＭＡＣアドレスをマッチング処理するように設定されるマッチングユニットを更に含む。
【発明の効果】
【００１８】
従来の技術と比べて、本発明の実施例の有益な効果は、ＭＡＣアドレスによってインテリジェント端末から本端末により集中ストレージサービス装置にアップロードされた写真を見つけて、よりインテリジェント的にユーザに表示することができ、且つ簡単で実用的である。
【図面の簡単な説明】
【００１９】
【図１】図１は、本発明の実施例においてアップロードする写真ファイルデータパッケージの組成構造を示す模式図である。
【図２】図２は、本発明の実施例による写真の集中ストレージ方法を示すフローチャートである。
【図３】図３は、本発明の実施例による写真の集中ストレージ装置を示す模式図である。
【図４】図４は、本発明の実施例におけるインテリジェント端末の写真アップロードの送信方法を示すフローチャートである。
【図５】図５は、本発明の実施例における写真集中ストレージ装置の受信方法を示すフローチャートである。
【図６】図６は、本発明の実施例における写真ファイル集中ストレージ装置を示す模式図である。
【図７】図７は、本発明の実施例における写真ファイル集中ストレージネットワークシステムを示す模式図である。
【発明を実施するための形態】
【００２０】
以下、図面を参照して本発明の好ましい実施例について詳細に説明するが、以下で説明する好ましい実施例は本発明を説明及び解釈するためだけのものであり、本発明を制限するためのものではないことを理解すべきである。
【００２１】
図１は、本発明おいてアップロードする写真ファイルデータパッケージの組成構造の模式図を示し、図１に示すように、写真データパッケージ（写真データパック）とマシンアドレスデータパッケージ（マシンアドレスデータパック）を含む。
【００２２】
図２は、本発明の実施例による写真の集中ストレージ方法のフローチャートを示し、図２に示すように、インテリジェント端末が実行する以下のステップを含む。
【００２３】
ステップＳ２０１：インテリジェント端末のＭＡＣアドレスを取得して、且つそれをインテリジェント端末写真ファイルのソースＭＡＣアドレスとする。
【００２４】
ステップＳ２０２：前記写真ファイルと前記ソースＭＡＣアドレスをパッケージング処理（パッキング処理）して、写真ファイルとソースＭＡＣアドレスを含むデータパッケージ（データパック）を取得する。
【００２５】
ステップＳ２０３：写真ファイルとソースＭＡＣアドレスを含むデータパッケージを有線又は無線ネットワークによって写真ファイル集中ストレージ装置にアップロードする。
【００２６】
本発明の実施例は、
受信した、写真ファイルとソースＭＡＣアドレスを含むデータパッケージを解析し、  解析後の写真ファイルとソースＭＡＣアドレス情報を記憶する、
という、前記写真ファイル集中ストレージ装置が実行するステップを更に含む。
【００２７】
本発明の実施例は、
インテリジェント端末は、前記写真ファイル集中ストレージ装置に、アップロードした写真を検索するための要求を送信し、
前記写真ファイル集中ストレージ装置は、前記要求に基づき、インテリジェント端末ＭＡＣアドレスをマッチングする方式で写真ファイルをインテリジェント端末に送信し、
前記インテリジェント端末は、前記写真ファイル集中ストレージ装置が送信した写真ファイルを受信する、
という、インテリジェント端末が写真ファイル集中ストレージ装置に記憶された写真を取得するステップを更に含む。
【００２８】
本発明の実施例において、解析後の写真ファイルとソースＭＡＣアドレス情報を記憶することは、解析後の写真ファイルとソースＭＡＣアドレス情報をバインディングしてから記憶することを含む。
【００２９】
本発明の実施例において、インテリジェント端末ＭＡＣアドレスをマッチングする方式で写真ファイルをインテリジェント端末に送信することは、
前記写真ファイル集中ストレージ装置が、前記要求を解析することによって、該要求を送信するインテリジェント端末ＭＡＣアドレスを取得することと、
前記写真ファイル集中ストレージ装置が、前記インテリジェント端末ＭＡＣアドレスと記憶されたすべてのＭＡＣアドレス情報をそれぞれマッチング処理することによって、アップロードしたソースＭＡＣアドレスを検索して、該ソースＭＡＣアドレスにバインディングされた写真ファイルを前記インテリジェント端末に送信することと、を含む。
【００３０】
図３は、本発明の実施例による写真の集中ストレージ装置の模式図を示し、図３に示すように、インテリジェント端末に設置されるソースＭＡＣアドレス取得モジュール３０１、データパッケージングモジュール（データパッキングモジュール）３０２及びデータ送信モジュール３０３を含み、
前記ソースＭＡＣアドレス取得モジュール３０１は、インテリジェント端末のＭＡＣアドレスを取得して、且つそれをインテリジェント端末写真ファイルのソースＭＡＣアドレスとすることに用いられ、
前記データパッケージングモジュール３０２は、前記写真ファイルと前記ソースＭＡＣアドレスをパッケージング処理して、写真ファイルとソースＭＡＣアドレスを含むデータパッケージを取得することに用いられ、
前記データ送信モジュール３０３は、写真ファイルとソースＭＡＣアドレスを含むデータパッケージを有線又は無線ネットワークによってアップロードし、集中ストレージを行うことに用いられる。
【００３１】
本発明の実施例は、アップロードした、写真ファイルとソースＭＡＣアドレスを含むデータパッケージを受信して記憶するための写真ファイル集中ストレージ装置を更に含み、前記写真ファイル集中ストレージ装置は、前記アップロードした、写真ファイルとソースＭＡＣアドレスを含むデータパッケージを受信するための受信モジュール、受信した、写真ファイルとソースＭＡＣアドレスを含むデータパッケージを解析するための解析モジュール、解析後の写真ファイルとソースＭＡＣアドレス情報を記憶するための記憶ユニット、解析後の写真ファイルとソースＭＡＣアドレス情報をバインディングするためのバインディングユニット、及びインテリジェント端末がアップロードした写真を検索する際に、インテリジェント端末ＭＡＣアドレスと記憶したソースＭＡＣアドレスをマッチング処理するためのマッチングユニットを含む。
【００３２】
図４は、本発明におけるインテリジェント端末の写真アップロードの送信方法のフローチャートを示し、図４に示すように、 
ステップＳ４０１：インテリジェント端末が、ローカルＭＡＣアドレスを認識すること、
ステップＳ４０２：インテリジェント端末が、写真ファイルとＭＡＣアドレスをパッケージング（パッキング）して、図１に示すような写真データパッケージを形成すること、
ステップＳ４０３：インテリジェント端末が、ネットワークによって図１に示すようなデータをＩＰネットワーク写真集中ストレージ装置に送信すること、
を含む。
【００３３】
インテリジェント端末アプリケーションプログラムは、ＭＡＣアドレスを認識して、インテリジェント端末の写真アップロードプログラムは、ついでにＭＡＣアドレスと写真ファイルをパッケージングし、パッケージングし終わったらＩＰネットワーク環境によって写真集中ストレージサービス装置に送信する。
【００３４】
図５は、本発明における写真集中ストレージ装置の受信方法のフローチャートを示し、図５に示すように、
ステップＳ５０１：ＩＰネットワーク写真集中ストレージ装置の受信ユニットが、インテリジェント端末が送信した図１に示すような写真データパッケージを受信すること、
ステップＳ５０２：ＩＰネットワーク写真集中ストレージ装置の解析ユニットが、図１に示すような写真データパッケージを解析すること、
ステップＳ５０３：ＩＰネットワーク写真集中ストレージサービス装置の記憶ユニットが、写真データを記憶すること、
を含み、
写真集中ストレージサービス装置は、インテリジェント端末が送信した写真データパッケージを受信して、写真ファイルソースＭＡＣアドレス情報を分解して写真集中ストレージ装置の記憶ユニットに記憶すること、を含む。
【００３５】
本発明のインテリジェント端末は、アプリケーションプログラムによって写真集中ストレージ装置にアクセスし、ネットワークがアップロードしたインテリジェント端末を検索することによって集中ストレージした写真ファイルのＭＡＣアドレスを取得でき、インテリジェント端末は、自動的にローカルアップロードした又は撮った写真を認識する。
【００３６】
図６は、本発明の写真ファイル集中ストレージ装置の模式図を示し、図６に示すように、ＩＰネットワークインターフェースユニット（無線又は有線ネットワークインターフェース）、データ受信ユニット、ＭＡＣアドレスと写真ファイル解析ユニット、データ記憶ユニット及びデータ検索インターフェースユニットを含む。
【００３７】
図７は、本発明の写真ファイル集中ストレージネットワークシステムの模式図を示し、図７に示すように、写真ファイル集中ストレージ装置、ＩＰネットワーク環境及びインテリジェント端末を含み、その管理方法は、
ステップ７０１：インテリジェント端末が、該機器の写真ファイルとソースＭＡＣアドレスをパッケージングすること、
ステップ７０２：インテリジェント端末が、写真ファイルとソースＭＡＣアドレスのデータパッケージを有線又は無線ネットワークによって写真ファイル集中ストレージ装置にアップロードすること、
ステップ７０３：写真ファイル集中ストレージ装置が、受信した写真データパッケージを解析すること、
ステップ７０４：写真ファイル集中ストレージ装置が、解析後の写真ファイルとソースＭＡＣアドレス情報を記憶すること、
ステップ７０５：インテリジェント端末が、写真ファイル集中ストレージ装置に、ローカルアップロードした写真を検索するように要求すること、
ステップ７０６：写真ファイル集中ストレージ装置が、インテリジェント端末の要求に基づきインテリジェント端末ＭＡＣアドレスをマッチングする方式で写真ファイルをインテリジェント端末に送信すること、
ステップ７０７：インテリジェント端末が、ローカルで対応的にアップロードした写真ファイルを受信すること、を含む。
【００３８】
本発明の実施例の基本的な思想については、様々な映像機能を有するインテリジェント端末そのものにはネットワーク全体の固有のＭＡＣアドレスが付き、写真をこのインテリジェント端末のアプリケーションプログラムによって集中ストレージサービス装置にアップロードする場合に、インテリジェント端末アプリケーションプログラムは、ＭＡＣアドレスを取得して写真ファイルのアップロードを行うと同時に該ＭＡＣアドレスをパッケージングして集中ストレージサービス装置に送信し、集中ストレージサービス装置は、該写真とＭＡＣアドレスを受信した際の解析後に集中ストレージサービス装置の記憶ユニットに記憶し、インテリジェント端末によって集中ストレージサービス装置に記憶された写真を検索する場合に該写真がどの機器によって撮られたかを知り、写真の関連プロパティを組み合わせて、写真をよりインテリジェント的にユーザに表示できる。本発明の手段は簡単に実用的に実現できる。
【００３９】
以上、本発明について詳しく説明したが、本発明はこれに制限されず、当業者は、本発明の原理に基づいて様々な変更を行うことができる。このため、本発明の原理に基づいて行った変更は、いずれも本発明の保護範囲に含まれることを理解すべきである。
【産業上の利用可能性】
【００４０】
以上のように、本発明の実施例はＭＡＣアドレスによってインテリジェント端末から本端末により集中ストレージサービス装置にアップロードされた写真を見つけることによって、よりインテリジェント的にユーザに表示でき、且つ簡単で実用的である。
【図１】
2016510916.tif 000003
【図２】
2016510916.tif 000004
【図３】
2016510916.tif 000005
【図４】
2016510916.tif 000006
【図５】
2016510916.tif 000007
【図６】
2016510916.tif 000008
【図７】
2016510916.tif 000009
【国際調査報告】
2016510916.tif 000010
2016510916.tif 000011
2016510916.tif 000012
2016510916.tif 000013
2016510916.tif 000014
2016510916.tif 000015